(57)【要約】【課題】モニタユニットの表示面の視認性を常に良好に保つこと。【解決手段】モニタユニット２０は、表示面２０Ａがカメラボディ１０に対向するようにカメラボディ１０に収納される収納位置と、表示面２０Ａが外部に露出する表示位置との間を移動可能にカメラボディ１０に取り付けられ、清掃部３０は、カメラボディ１０に取り付けられ、収納位置に位置するモニタユニット２０の表示面２０Ａを清掃する。【選択図】図１
2013127574.tif 000002
【特許請求の範囲】
【請求項１】
表示面がカメラ本体に対向するように前記カメラ本体に収納される収納位置と、前記表示面が外部に露出する表示位置との間を移動可能に前記カメラ本体に取り付けられた可動式の表示装置と、
前記カメラ本体に設けられ、前記収納位置に位置する前記表示装置の前記表示面を清掃する清掃機構と、を備えることを特徴とするデジタルカメラ。
【請求項２】
請求項１に記載のデジタルカメラにおいて、
カメラ電源をオンオフする電源スイッチと、
前記表示装置が前記収納位置に位置するか否かを検出する検出手段と、を更に備え、
前記清掃機構は、前記検出手段によって前記表示装置が前記収納位置に位置することを検出され、かつ前記電源スイッチがオン状態である場合に、前記清掃動作を行うことを特徴とするデジタルカメラ。
【請求項３】
請求項２に記載のデジタルカメラにおいて、
前記電源スイッチがオン状態の下で、前記検出手段が、前記表示装置が前記収納位置に位置したことを検出した場合に、前記清掃機構に前記清掃動作を開始させる制御手段を更に備えることを特徴とするデジタルカメラ。
【請求項４】
請求項３に記載のデジタルカメラにおいて、
前記制御手段は、前記電源スイッチがオフ状態の下で、前記検出手段が、前記表示装置が前記収納位置に位置したことを検出し、その後に前記電源スイッチがオン状態になった場合には、前記清掃動作を開始させることを特徴とするデジタルカメラ。
【請求項５】
請求項３に記載のデジタルカメラにおいて、
前記制御手段は、前記電源スイッチがオフ状態の下で、前記検出手段が、前記表示装置が前記収納位置に位置したことを検出した場合には、前記電源スイッチを強制的にオン状態とし、前記清掃動作を開始させることを特徴とするデジタルカメラ。
【請求項６】
請求項１〜５に記載のデジタルカメラにおいて、
前記清掃機構が清掃動作中であるか否かを判定する判定手段と、
前記判定手段が前記清掃中であると判定した場合には、前記表示装置を前記収納位置に係止する係止手段と、を更に備えることを特徴とするデジタルカメラ。
【請求項７】
請求項１〜６のいずれか１項に記載のデジタルカメラにおいて、
前記表示装置は、第１の回転軸の回りに回転可能に、かつ、前記第１の回転軸に直角な第２の回転軸の回りに回転可能に、前記カメラ本体に取り付けられることを特徴とするデジタルカメラ。
【発明の詳細な説明】
【技術分野】
【０００１】
本発明は、清掃機能を有するデジタルカメラに関する。
【背景技術】
【０００２】
デジタルカメラにおいて、液晶モニタが２軸ヒンジ機構を介してカメラ本体に取り付けられ、この液晶モニタの表示面が内側を向いてカメラ本体の収納部に格納されると、液晶モニタの電源をオフにする技術が知られている（例えば、特許文献１参照）。
【先行技術文献】
【特許文献】
【０００３】
【特許文献１】特許第３５３４９９５号公報
【発明の概要】
【発明が解決しようとする課題】
【０００４】
ところが、特許文献１のデジタルカメラでは、液晶モニタの表示面が内側を向いてカメラ本体に格納されたときに、単に液晶モニタの電源をオフにするに過ぎず、表示面に付着したゴミや、カメラ本体の収納部に付着した後に表示面に再付着したゴミのために、モニタ表示画面の視認性が劣化するという問題がある。
【課題を解決するための手段】
【０００５】
請求項１の発明によるデジタルカメラは、表示面がカメラ本体に対向するように前記カメラ本体に収納される収納位置と、前記表示面が外部に露出する表示位置との間を移動可能に前記カメラ本体に取り付けられた可動式の表示装置と、前記カメラ本体に設けられ、前記収納位置に位置する前記表示装置の前記表示面を清掃する清掃機構と、を備えることを特徴とする。
【発明の効果】
【０００６】
本発明のデジタルカメラによれば、表示装置が収納位置に位置するときに表示面を清掃する清掃機構を備えているので、表示装置の表示面の視認性を常に良好に保つことができる。
【図面の簡単な説明】
【０００７】
【図１】本発明の実施の形態に係るデジタルカメラの外観を模式的に示す斜視図であり、モニタユニットが非収納位置にある。
【図２】本実施の形態に係るデジタルカメラの外観を模式的に示す斜視図であり、モニタユニットが収納位置にある。
【図３】本実施の形態に係るデジタルカメラの外観を模式的に示す斜視図であり、モニタユニットが非収納位置にある別例である。
【図４】本実施の形態に係るデジタルカメラの主要部の構成を示すブロック図である。
【図５】本実施の形態に係るデジタルカメラの清掃状態を示す図であり、図５（ａ）は清掃開始時、図５（ｂ）は清掃途中を表す。
【図６】本実施の形態に係るデジタルカメラの清掃部のメカニズムを模式的に示す部分断面図である。
【図７】本実施の形態に係るデジタルカメラの清掃部の清掃動作を説明する模式図である。
【図８】本実施の形態に係るデジタルカメラの清掃部の清掃動作の流れを示すフローチャートである。
【図９】図８の清掃動作の変形例を示すフローチャートである。
【発明を実施するための形態】
【０００８】
以下、本発明の実施の形態によるデジタルカメラの構成について、図面を参照しながら説明する。
図１〜３はいずれも、デジタルカメラ１を後方斜め上から見た外観図であり、同一部品には同一符号を付す。
先ず、図１を参照すると、デジタルカメラ１は、カメラボディ１０と、カメラボディ１０に取り付けられた可動式のモニタユニット２０とを有する。カメラボディ１０の前面には撮影レンズ（不図示）が取り付けられている。
【０００９】
カメラボディ１０の上面には、電源スイッチ１１、レリーズボタン１２が配設されている。カメラボディ１０の後面には、撮影モードや再生モードなどのメニュー項目を選択／決定するための操作ダイヤル１３が配設され、また、モニタユニット２０の形状に合わせて形成された凹部である収納部１４が設けられている。この収納部１４には、ＭＲセンサ１５、係止爪１６が配設され、また、収納部１４の底面である収納面１４Ａには、後述する清掃部３０の構成部品であるワイパー３１と、ワイパー３１が収納面１４Ａに沿って移動する際のガイドとなるレール３２が設けられている。
【００１０】
モニタユニット２０は、撮影画像や再生画像などを表示する表示面２０Ａと、表示面２０Ａの外周を取り囲むモニタ枠２１とを有し、モニタ枠２１には、マグネット２２、係止凹部２３が配設されている。モニタユニット２０の表示面２０Ａが収納面１４Ａに近づくと、マグネット２２がＭＲセンサ１５に近づくので、ＭＲセンサ１５はマグネット２２の磁気力を検出できる。また、モニタユニット２０が収納部１４に収納されている状態で、係止爪１６が係止凹部２３に係合可能となる。撮影者は、係合している状態では、モニタユニット２０を動かすことはできない。
【００１１】
モニタユニット２０は、二軸ヒンジ２５によって、第１の回転軸２５ａ周りの回転Ｒ１及び第２の回転軸２５ｂ周りの回転Ｒ２が可能であることから、バリアングルモニタと呼ばれる。第２の回転軸２５ｂは、第１の回転軸２５ａに直角に取り付けられている。
表示面２０Ａは、この二軸ヒンジ２５によってカメラボディ１０に対して位置及び角度を様々に変えることができ、撮影者は、無理な撮影姿勢をとらなくても、表示面２０Ａを確認しながらアオリ撮影や自分撮り撮影ができる。
【００１２】
ここで、モニタユニット２０の「収納位置」を説明する。本発明では、収納位置とは、表示面２０Ａがカメラボディ１０に対向するように、具体的には、表示面２０Ａが収納面１４Ａに対向するようにモニタユニット２０が位置する状態を指す。モニタユニット２０が収納位置にあるときは、塵埃や外力から表示面２０Ａを保護することができる。
また、モニタユニット２０が収納位置にある場合のみ、上述したワイパー３１を使用して表示面２０Ａを清掃することができる。なお、モニタユニット２０が収納位置にある場合は、モニタユニット２０の電源をＯＦＦにして表示面２０Ａには何も表示させない。
【００１３】
モニタユニット２０が収納位置以外にある状態は、「非収納位置」又は「表示位置」と呼ぶ。非収納位置又は表示位置（以下、非収納位置という）では、表示面２０Ａが外部に露出しているので、表示面２０Ａを清掃することはできない。
【００１４】
すなわち、図１は、モニタユニット２０が非収納位置にある図であり、図２は、モニタユニット２０が収納位置にある図である。図３は、モニタユニット２０が収納部１４にセットされているが、モニタユニット２０を図１の状態から回転軸２５ｂ周りに略１８０°回転した結果、表示面２０Ａは露出している。これは、モニタユニット２０が非収納位置にあることを示しており、当然ながら表示面２０Ａを清掃することはできない。
【００１５】
図４は、デジタルカメラ１の主要部の構成を示すブロック図である。検出部１７は、ＭＲセンサ１５が磁気を検出したときに、その検出信号を制御部１８へ出力する。制御部１８は、判定部１８ａと係止部１８ｂとを含む。制御部１８は、電源スイッチ１１からのＯＮ／ＯＦＦ動作信号、及び検出部１７からの検出信号を入力する。また、制御部１８は、モニタユニット２０の電源のＯＮ／ＯＦＦ制御やモニタユニット２０の表示面２０Ａに表示するプレビュー画像、再生画像などの表示像の表示形態（明るさ、大きさなど）を制御する。
【００１６】
判定部１８ａは、清掃部３０が清掃動作中であるか否かを判定する。係止部１８ｂは、判定部１８ａにより清掃部３０が清掃動作中であると判定された場合に、係止爪１６を係止凹部２３に係合させるための駆動信号を不図示のアクチュエータへ出力する。係止部１８ｂは、清掃動作中でない場合は、係止爪１６と係止凹部２３との係合を解除させる。
【００１７】
図５は、収納位置にあるモニタユニット２０を部分的に切り欠いて、収納面１４Ａを露出させ、ワイパー３１を示した図であり、図５（ａ）は清掃開始時、図５（ｂ）は清掃途中を表す。ワイパー３１の長さは、矩形の表示面２０Ａの縦の長さにほぼ等しく、清掃開始から終了までのワイパー３１の移動距離（ストローク長）は、表示面２０Ａの横の長さにほぼ等しい。清掃部３０の清掃動作では、ワイパー３１が表示面２０Ａの全面を少なくとも１回は走行する。
【００１８】
図６は、図５（ｂ）のデジタルカメラ１を矢視Ｉ−Ｉ線を含む水平面で切断した時の部分断面図であり、清掃部３０のメカニズムを模式的に示す図である。
ワイパー３１は、弾性を有する部材で作製するのが望ましく、材料として、例えば発泡ゴムや布やフェルトなどが用いられる。ワイパー３１は、固定部材３３を介して雌ねじ３４に取り付けられている。雌ねじ３４は、送り雄ねじ３５に螺合している。送り雄ねじ３５は、その両端部で軸受３６に軸支されており、また、カップリング３７を介して回転モータ３８に接続されている。
【００１９】
モータ３８が回転すると、送り雄ねじ３５が回転し、雌ねじ３４は、その回転方向に応じて左右方向に移動する。これにより、ワイパー３１は、表示面２０Ａに接しながら左右方向に移動する。
【００２０】
図７は、図６のワイパー３１の周辺を拡大して模式的に示した図であり、これを参照して、清掃動作によるゴミの除去の様子を説明する。図中、左側に実線で表わすワイパー３１は、前述したメカニズムにより右方の二点鎖線で表すワイパー３１の位置に移動する。その際に、表示面２０Ａに付着したゴミ（パーティクル）Ｐは、ワイパー３１に捕捉され右方に運ばれて表示面２０Ａから離脱する。このようにして、ゴミＰは、表示面２０Ａから取り除かれ、表示面２０Ａは清浄に保たれる。勿論、ワイパー３１の移動によってゴミ以外の汚れなども取り除くことができる。
【００２１】
次に、図８のフローチャートを参照しながら、デジタルカメラ１における清掃動作の流れを説明する。
ステップＳ１１では、デジタルカメラ１の電源スイッチ１１がＯＮであり、電源スイッチ１１がＯＮの状態で、「１」で示す各種の処理が行われた後に、ステップＳ１２へ移行する。ステップＳ１２では、モニタユニット２０が収納位置にあるか否かを検出し、収納位置にあれば、ＭＲセンサ１５がマグネット２２の磁気を感知し、検出部１７から検出信号が自動的に制御部１８へ入力され、ステップＳ１３へ移行する。
【００２２】
ステップＳ１３では、検出部１７からの検出信号に応じて係止部１８ｂが係止爪１６を係止凹部２３に係合させる。ステップＳ１４で、清掃部３０による清掃動作が開始し、ステップＳ１５で、清掃動作が終了し、判定部１８ａは、清掃部３０が清掃動作中ではないと判定する。ステップＳ１６で、係止部１８ｂは、清掃動作中ではないとの判定に応じて、係止爪１６と係止凹部２３との係合を解除させる。これで、一連の清掃動作は終了する。
ステップＳ１２において、モニタユニット２０が収納位置にあることが否定判定されると、清掃動作は行われない。
【００２３】
なお、電源スイッチ１１がＯＦＦ状態であり、且つ、モニタユニット２０が収納位置にあることが検出された後に、電源スイッチ１１がＯＦＦからＯＮに切り換えられた場合も、上述のステップＳ１３からステップＳ１６までの係止動作、清掃動作を実施するようにしてもよい。なお、この場合、少なくとも検出部１７には電力が供給されている。
【００２４】
本実施の形態のデジタルカメラ１は、次の作用効果を奏する。
（１）清掃部３０をカメラボディ１０に設け、収納位置にあるモニタユニット２０の表示面２０Ａを清掃することができ、表示面２０Ａの良好な視認性を確保することができる。
（２）清掃部３０が清掃動作中は、係止部１８ｂが係止爪１６を係止凹部２３に係合させ、モニタユニット２０をロック状態に保持するので、モニタユニット２０を誤って非収納位置に移動させることを防止できる。
【００２５】
以下、本実施の形態の変形例を説明する。
図９は、本実施の形態の変形例を示すフローチャートである。この変形例は、電源がＯＦＦの場合であっても、予め制御部１８に保存されている清掃プログラムに基づいて、強制的に清掃動作を実施させるものである。この清掃プログラムは、モニタユニット２０が収納位置にある場合に、所定時間が経過すると起動するように作成されている。なお、このフローチャートの開始時点では、少なくとも検出部１７及び制御部１８には電力が供給されているとする。
【００２６】
ステップＳ２１では、モニタユニット２０が収納位置にあるか否かを検出し、収納位置にあれば、検出部１７から検出信号が自動的に制御部１８へ入力され、ステップＳ２２へ移行する。ステップＳ２２では、制御部１８が、清掃プログラムに基づいてカメラ電源をＯＮに設定する。
【００２７】
以下の動作は、図８のステップＳ１３からステップＳ１６までと同様、ステップＳ２３で、検出部１７からの検出信号が自動的に制御部１８へ入力され、その検出信号に応じて係止部１８ｂが係止爪１６を係止凹部２３に係合させる。ステップＳ２４で、清掃部３０による清掃動作が開始し、ステップＳ２５で、清掃動作が終了し、判定部１８ａは、清掃部３０が清掃動作中ではないと判定する。ステップＳ２６で、係止部１８ｂは、係止爪１６と係止凹部２３との係合を解除させる。これで清掃動作が終了し、ステップＳ２７で、制御部１８はカメラ電源をＯＦＦに設定する。
【００２８】
ステップＳ２１において、モニタユニット２０が収納位置にあることが否定判定されると、清掃動作は行われない。また、清掃プログラムの使用を禁止した状態にセットしてあれば、清掃動作は行われない。
上記の変形例によれば、モニタユニット２０が収納位置にあるが、電源スイッチ１１がＯＦＦ状態にある場合でも、制御部１８が清掃プログラムに基づいて清掃動作を実施させることができる。
【００２９】
上記の実施の形態では、二軸ヒンジ２５を用いたバリアングルのモニタユニット２０について説明したが、二軸ヒンジ２５の代わりに、二軸ヒンジ２５の第１の回転軸２５ａのみをもつ一軸ヒンジを用いてもよいし、三軸以上の複数軸のヒンジを用いてもよい。
また、上記の実施の形態では、マグネット２２とＭＲセンサ１５を用いて、モニタユニット２０が収納位置にあるか否かを検出したが、磁気検出の代わりに、光センサによる光学的な検出でもよいし、プッシュセンサによる機械的な検出でもよい。
【００３０】
本発明は、その特徴を損なわない限り、以上説明した実施の形態に何ら限定されるものではない。
【符号の説明】
【００３１】
１：デジタルカメラ                １０：カメラボディ
１１：電源スイッチ                  １４：収納部
１５：ＭＲセンサ                    １６：係止爪
１７：検出部                        １８：制御部
１８ａ：判定部                      １８ｂ：係止部
２０：モニタユニット                ２２：マグネット
２３：係止凹部                      ２５：二軸センサ
３０：清掃部                        ３１：ワイパー
【図１】
2013127574.tif 000003
【図２】
2013127574.tif 000004
【図３】
2013127574.tif 000005
【図４】
2013127574.tif 000006
【図５】
2013127574.tif 000007
【図６】
2013127574.tif 000008
【図７】
2013127574.tif 000009
【図８】
2013127574.tif 000010
【図９】
2013127574.tif 000011